(57)【要約】　　　（修正有）【課題】簡単かつ確実に標識柱をガードレールへ取付け固定することができるようにした簡易固定具を提供する。【解決手段】上冶具Ａと下冶具Ｂとからなり、上冶具は平面略コ字形の上側腕杆２の基部を固定して側面全体略Ｌ字形をなし、ガードレールの上縁と係合可能な係合部が一体に連設されてなる。また、下治具は上記上治具管体の下方外周を摺動自在の角型の筒体６と、該筒体の前面下方に上側腕杆と同一構成で上下互いに対向するように取付けられてガードレールの下縁と係合可能な平面コ字形の下側腕杆８と、角型筒体の後面に取付けた締付け具９とからなり、上下方向へ旋回可能な旋回レバー１０と、該レバーの中間部に基部が軸支され、先端部に上治具管体の後面中間部に突設したフックに係止可能な係止部材１２を設けて上下旋回可能な軸杆を備え、該軸杆の旋回軸はレバーを角型筒体面に旋回当接させたときに該レバーの旋回軸よりも内側に来るようにする。【選択図】　　図１
2004132074.tif 000002
【特許請求の範囲】
【請求項１】
標識柱を前面から弾力的に抱持すると共にガードレールの上縁部を係止して標識柱をガードレール前面に圧接するようにした上冶具と、該上治具を構成する管体の下方外周に摺動自在に嵌合し、標識柱を前面から弾力的に抱持すると共にガードレールの下縁部を係止する共に上治具に形成したフックに引っ掛けて締付けるバックル式の締付け具を備える下冶具とからなり、ガードレールをこの上治具と下冶具により上下から挟持して標識柱をガードレール前面に圧接固定するようにしてなる標識柱の簡易固定具。
【請求項２】
前記上冶具は、標識柱と平行するように用いる角筒形の管体の上端部に開放側を前方へ向けて突出させた平面略コ字形の上側腕杆の基部を固定して側面全体略Ｌ字形をなし、上記腕杆はその前側開放部から内側に標識柱を挿入するのに充分な空間を有し、該腕杆の基部内側には標識柱を弾力的に抱持可能で厚肉の弾性体が取付けられ、上記腕杆の開放両端部はそれぞれ下方へほぼ直角に屈曲させてガードレールの上縁と係合可能な係合部が一体に連設されてなり、前記下治具は上記上治具管体の下方外周を摺動自在の角型の筒体と、該筒体の前面下方に上記上側腕杆と同一構成で上下互いに対向するように取付けられてガードレールの下縁と係合可能な平面コ字形の下側腕杆と、上記角型筒体の後面に取付けた締付け具とからなり、該締付け具は基部を筒体後面上方に突設した支持片に軸支されて上下方向へ旋回可能な旋回レバーと、該レバーの中間部に基部が軸支され、先端部に上治具管体の後面中間部に突設したフックに係止可能な係止部材を設けて上下旋回可能な軸杆を備え、該軸杆の旋回軸は上記レバーを角型筒体面に旋回当接させたときに該レバーの旋回軸よりも内側に来るようにしたことを特徴とする請求項１記載の標識柱の簡易固定具。
【請求項３】
前記上・下腕杆のガードレール上下両縁と係合する屈曲部内側にはＬ字形に折曲された金属片が固定されてなる請求項１又は２記載の標識柱の簡易固定具。
【請求項４】
前記旋回レバーの先端部には開放部を内側へ向けて突出するように取付け固定した断面コ字形のロック部材が固定され、該ロック部材は前記角型筒体の水平断面の３辺とほぼ同大であり、その開放両端部は内側への折返し部が形成され、前記旋回レバーを角型筒体の後面に当接するまで下方旋回させたときに、該ロック部材が角型筒体の後方から該筒体の３面を抱き込むと共に、上記折返し部が該筒体の左右両面を乗り越えて該筒体の前面の左右両縁部に係合するように構成されてなる請求項１、２又は３記載の標識柱の簡易固定具。
【発明の詳細な説明】
【０００１】
【発明の属する技術分野】
本発明は、交通規制標識等の道路標識の支柱の交換や新設等のため、一時的に標識をガードレールに固定するための簡易な固定具に関するものである。
【０００２】
【従来の技術】
通常、道路標識用の支柱は道路端の所定個所に掘った穴にその下部を挿入し、この穴にセメント等の固化材を流し込んで埋設固定されている。しかし、この支柱が経年腐食や折損、倒曲等により使用できなくなったり、新たな交通規制が至急に必要となったときには、正式に新たな標識柱が設置されるまでの間、一時的に仮の標識柱を近傍のガードレールに支持固定されるようにして、道路面上に立設される。また、道路工事のため、その工事期間中だけ交通規制を行うため、仮の標識柱をガードレールに設置する場合もある。
【０００３】
従来、この仮の標識柱をガードレールに一時的に取付ける手段としては、例えば全体略Ｕ字形に折曲形成された板状のブラケットの開放端側に切込部を形成してこの切込部をガードレールの肉厚に係合させ、ブラケット内には標識柱を通し、ブラケットのＵ型折曲基部からハンドル付きのネジ軸を螺入して該ネジ軸先端の押圧板とガードレール面とで標識柱を挟持固定するもので、このブラケットをガードレールの上下両端部に取付けるものである。
【０００４】
しかし、この方法は設置に時間がかかるだけでなく、ネジ軸を強く締め過ぎるとハンドルが折れたり、ネジ軸が摩耗して固定機能を発揮できなくなる等の欠点がある。
【０００５】
そこで、ネジ軸の螺入固定方式に代え、最近長い左右２本のハンドルレバーを互いに接近方向に水平旋回させることにより、レバー基部に取付けられたコイルスプリングの引張力を利用して、標識柱をガードレール面に圧接固定する方法も提案されている（特開２００２−１８０４２７号公報）。
【０００６】
この方法は、レバーの旋回操作により標識柱をガードレール面に挟圧固定できるものの、左右レバー基部のコイルスプリングの引張力が均等でないと支柱の支持が不安定となり易く、また支柱固定状態でのハンドルレバーがガードレール面から大きく突出して危険であるという難点がある。
【０００７】
【発明が解決しようとする課題】
本発明は、従来のようにガードレールの上下両側でいちいち締付け操作を行う必要がなく、たった１個所での締付け操作により、簡単かつ確実に標識柱をガードレールへ取付け固定することができるようにした簡易固定具を提案するものである。
【０００８】
【課題を解決するための手段】
即ち、本発明は、標識柱を前面から弾力的に抱持すると共にガードレールの上縁部を係止して標識柱をガードレール前面に圧接するようにした上冶具と、該上治具を構成する管体の下方外周に摺動自在に嵌合し、標識柱を前面から弾力的に抱持すると共にガードレールの下縁部を係止する共に上治具に形成したフックに引っ掛けて締付けるバックル式の締付け具を備える下冶具とからなり、ガードレールをこの上治具と下冶具により上下から挟持して標識柱をガードレール前面に圧接固定するようにしてなる標識柱の簡易固定具に関するものである。
【０００９】
更に詳細には、上記した上冶具は標識柱と平行するように用いる角筒形の管体の上端部に開放側を前方へ向けて突出させた平面略コ字形の上側腕杆の基部を固定して側面全体略Ｌ字形をなし、上記腕杆はその前側開放部から内側に標識柱を挿入するのに充分な空間を有し、該腕杆の基部内側には標識柱を弾力的に抱持可能で厚肉の弾性体が取付けられ、上記腕杆の開放両端部はそれぞれ下方へほぼ直角に屈曲させてガードレールの上縁と係合可能な係合部が一体に連設されてなり、前記下治具は上記上治具管体の下方外周を摺動自在の角型の筒体と、該筒体の前面下方に上記上側腕杆と同一構成で上下互いに対向するように取付けられてガードレールの下縁と係合可能な平面コ字形の下側腕杆と、上記角型筒体の後面に取付けた締付け具とからなり、該締付け具は基部を筒体後面上方に突設した支持片に軸支されて上下方向へ旋回可能な旋回レバーと、該レバーの中間部に基部が軸支され、先端部に上治具管体の後面中間部に突設したフックに係止可能な係止部材を設けて上下旋回可能な軸杆を備え、該軸杆の旋回軸は上記レバーを角型筒体面に旋回当接させたときに該レバーの旋回軸よりも内側に来るようにしたことを特徴とする標識柱の簡易固定具である。
以下、本発明の実施形態を図により説明する。
【００１０】
【発明の実施の形態】
図１は本発明の固定具の組合せ前の状態の斜視図、図２は組合せた状態の側面図、図３は同平面図である。
【００１１】
この固定具は、通常ガードレールの前面（又は後面）に立設する標識柱を固定するもので、大きく分けて共に金属製の上治具Ａと下治具Ｂとから構成されている。
【００１２】
上治具Ａは標識柱５０を前面から弾力的に抱持すると共にガードレール５１の上縁部を係止して標識柱５０をガードレール前面に圧接するようになっている。
【００１３】
また、下治具Ｂは上治具Ａの管体１の下方外周に摺動自在に嵌合しかつ脱着可能に取付けられていて、標識柱５０を前面から弾力的に抱持すると共にガードレール５１の下縁部を係止し、該下治具Ｂに備えるバックル式の締付け具９を上治具Ａに形成したフック１６に引っ掛けて締付けることにより、ガードレール５１を上治具Ａと共に上下から挟持しながら、標識柱５０をガードレール５１前面に圧接固定するようになっている。以下、更に詳述する。
【００１４】
１は標識柱５０と平行するように用いる上治具Ａを構成する角筒形の管体で、該管体１の長さはガードレール５１の上下幅よりやや長く、該管体１の上端部には開放端を前方へ向けて突出する平面コ字形の上側腕杆２の基部が溶接固定されて、上治具Ａは側面全体略逆Ｌ型をなしている。
【００１５】
このコ字形腕杆２は、その前側開放部から内側に標識柱５０を挿入するのに充分な空間を有し、該腕杆２の基部内側には標識柱５０を弾力的に抱持可能で滑り止め効果の高い例えばゴム板を積層した厚肉の弾性体３が取付けられている。
【００１６】
また、二股に形成された上記腕杆２ａ、２ｂの開放両端部にはそれぞれ下方へほぼ直角に屈曲する係合部４ａ、４ｂが一体に連設されている。
【００１７】
この係合部４ａ、４ｂはガードレール５１の上辺に係合させるのであるが、腕杆２自体が金属板を平面コ字形に折曲形成されるため、ガードレール５１上辺と係合する係合部４ａ、４ｂの上記屈曲基部は金属板の肉厚部分だけでガードレール５１上辺と係合接触することとなり、ガードレール５１の該接触部分を傷付けるおそれがあるので、ガードレール５１上縁部との接触面積を大きくとるために、この実施例図では側面Ｌ字形に折曲した金属片５を各係合部４ａ、４ｂの上記屈曲基部内側に固定してある。この場合、金属片５は腕杆２のコ字形の開放端側から内側へ標識柱５０を挿入する際に支障なきよう、なるべく外方に突出するように取付ける。
【００１８】
側面全体Ｌ字形に形成された上治具Ａの管体１の背面中間部にはやや下方に寄せて後記する下治具Ｂの係止部材１２と係合する２枚の平行するフック片１６が突設されている。
【００１９】
一方、下治具Ｂは上記上治具Ａの管体１のフック片１６より下側部分外周を摺動自在でかつ管体１から脱着自在の比較的短尺な角型の筒体６と、該筒体６の前面下方に前記上治具Ａの平面コ字形の上側腕杆２と同一構成で上下互いに対面するように取付けた平面コ字形の下側腕杆７と、上記筒体６の後面に取付けた締付け具９とから構成されている。
【００２０】
即ち、二股に形成された上記下側腕杆７は、上側腕杆２と同様に左右両先端部には上方に直角に立上る係合部８ａ、８ｂが一体形成されると共にその立上り部内側にはＬ字形に折曲された金属片５、５が固定され、更に該腕杆７のコ字形の基部内側には厚肉の弾性体３が取付けられている。
【００２１】
締付け具９は、基部を筒体６後面上方に両側に寄せて該筒体６の長さ方向と平行に立設した互いに対面する２枚の支持片１１、１１間に軸支されて上下方向へ旋回可能な断面略コ字形の旋回レバー１０と、該レバー１０の中間部に基部が軸支され、先端部に前記した上治具Ａのフック１６に係止可能な係止部材１２を設けて全体ハンマー型に形成された同じく上下方向へ旋回可能な軸杆１３を備えており、該軸杆１３の旋回軸１４はレバー１０を筒体６面に旋回当接させたときにレバー１０の旋回軸１５よりも内側、即ち筒体６面に近くなるようにする。
【００２２】
なお、旋回レバー１０は、側面略逆三角形をなし、旋回基部に近い上面は切除して、上記軸杆１３の旋回角度を大きくとるようにし、先端係止部材１２をフック１６に楽に引っ掛けられるようにしてある。
【００２３】
１７は上記旋回レバー１０の先端部に開放部を内側へ向けて突出するように取付け固定した筒体６の水平断面の３辺とほぼ同大の断面コ字形のロック部材で、その開放両端部は内側へ折返して折返し部１７ａ、１７ａが形成され、旋回レバー１０を筒体６面に当接するまで下方旋回させたときに、該コ字形ロック部材１７が筒体６の後方から該筒体６の３面を抱き込むと共に、上記内側両折返し部１７ａ、１７ａが筒体６の左右両面を乗り越えて筒体６の前面の左右両縁部に係合するように構成されている。
【００２４】
しかして、この固定具により標識柱５０をガードレール５１に固定する場合には、まず上治具Ａのコ字形腕杆２内側に標識柱５０を挿入した状態で該腕杆２先端の左右係合部４ａ、４ｂを所定個所のガードレール５１上縁に引っ掛ける。
【００２５】
次に、下治具Ｂの下側コ字形腕杆７内側にも標識柱５０下方を挿入した状態で筒体６を上治具Ａの管体１下方が嵌入されるように上昇させ、該下側腕杆７先端の左右係合部８ａ、８ｂをガードレール５１下縁部に係合させ、また下治具Ｂのレバー１０を上方旋回させて、軸杆１３先端の係止部材１２を上治具Ａの管体１中間にあるフック１６に係止させる（図４参照）。
【００２６】
上下腕杆２、７の突出長さは、その内側に標識柱５０を挿入したときに、後側（管体１側）から力を加えて弾性体３を圧縮した状態でガードレール５１に係合部４又は８を引っ掛けることができるような長さとするのがよい。
【００２７】
そして、次に上記のように上下腕杆２、７がガードレール５１の上下両縁に係止され、軸杆１３の係止部材１２がフック１６に係合した状態で標識柱５０の垂直性を確認したら、ロック部材１７をつかみながら旋回レバー１０を一気に下方旋回させて筒体６後面に当接させるのである（図５参照）。
【００２８】
これにより、軸杆１３の旋回軸１４ははじめレバー１０の旋回軸１５より筒体６に対して外側にあったものが、レバー１０の下方旋回によりレバー旋回軸１５より内側に入る際に、上下治具Ａ、Ｂを互いに引き寄せる力が生じるが、上下両腕杆２、７がガードレール５１上下両縁に係合しているので、ガードレール５１を標識柱５０への圧接方向へ変形させる力が働き、同時に上下の弾性体３、３も上下腕杆２又は７と標識柱５０とに圧縮されて不規則な弾性変形を生じさせ、特に下側腕杆７内の弾性体３は締付けたレバー１０位置との関係で上側腕杆２の弾性体３より大きく圧縮変形する。
【００２９】
このようにして、レバー１０を下方旋回させて筒体６後面に当接させ、ロック部材１７を筒体６前面の左右両縁部に係合させると、標識柱５０は相対的に上記のようにしてガードレール５１接触面と上下腕杆２、７内の弾性体３とにより強く挟圧され固定されることとなるのである。
【００３０】
なお、標識柱５０が不要となったときには、ロック部材１７の筒体６へのロックを解除し、レバー１０を上方旋回させて、軸杆１３のフック１６への係止を解除し、更に上下腕杆２，７のガードレールへの係合を解除することにより、簡単に標識柱５０を取り去ることができる。
【００３１】
【発明の効果】
本発明のガードレールへの標識柱の固定具は上述のようにしてなり、上下２つの冶具を組合せて、１個の旋回レバーを旋回させて締付けるワンタッチ操作で簡単かつ確実に標識柱をガードレールに固定することができるのである。
【００３２】
また、ガードレール面の向きとの関係で、この固定具は道路側から装着することとなるが、標識柱をガードレール面に固定したときには、この固定具が道路側に大きく突出するようなことがなく、また歩道側にもほとんど突出しないので、車両の通行に危険を及ぼすような事はなく、歩行者にも安全である。
【００３３】
しかも、本発明固定具は可動部分が旋回レバー部分だけというシンプルな構造であるので、製作が容易で、製作費も廉価であり、多量生産も容易である等、種々の利点を有する。
【図面の簡単な説明】
【図１】本発明に係る標識柱の簡易固定具を構成する上下冶具の組合せ前の状態を示す斜視図である。
【図２】本発明に係る標識柱の簡易固定具を構成する上下冶具を組合せた状態を示す側面図である。
【図３】同、平面図である。
【図４】本発明に係る標識柱の簡易固定具により標識柱をガードレールに固定する要領を示す側面説明図であって、レバーを締付ける前の状態を示している。
【図５】同、レバーを締付け後の状態を示している。
【符号の説明】
Ａ−上冶具
Ｂ−下冶具
１−管体
２−上側腕杆
３−弾性体
４−上側係合部
５−金属片
６−筒体
７−下側腕杆
８−下側係合部
９−締付具
１０−旋回レバー
１１−支持片
１２−係止部材
１３−軸杆
１４−軸杆の旋回軸
１５−旋回レバーの旋回軸
１６−フック
１７−コ字形ロック部材
５０−標識柱
５１−ガードレール
【図１】
2004132074.tif 000003
【図２】
2004132074.tif 000004
【図３】
2004132074.tif 000005
【図４】
2004132074.tif 000006
【図５】
2004132074.tif 000007